(57)【要約】【課題】浴槽７内の湯を追い焚き用熱交換器３２との間に循環させる追い焚き回路６３と、追い焚き回路６３に介設される殺菌装置６３ｆとを備え、追い焚き回路６３に湯を循環させつつ殺菌装置６３ｆで湯を殺菌する殺菌運転を行う給湯装置であって、浴槽７の湯を必要十分に殺菌することができるようにする。【解決手段】殺菌運転の運転時間を浴槽７内の湯量に応じて決定する。更に、浴槽７への湯張り完了からの経過時間と前回の殺菌運転完了からの経過時間との少なくとも一方に応じて殺菌運転の運転時間を補正する。【選択図】図１
2016223699.tif 000002
【特許請求の範囲】
【請求項１】
浴槽内の湯を追い焚き用熱交換器との間に循環させる追い焚き回路と、追い焚き回路に介設される殺菌装置とを備え、追い焚き回路に湯を循環させつつ殺菌装置で湯を殺菌する殺菌運転を行う給湯装置であって、
殺菌運転の運転時間を浴槽内の湯量に応じて決定することを特徴とする給湯装置。
【請求項２】
浴槽への湯張り完了からの経過時間と前回の殺菌運転完了からの経過時間との少なくとも一方に応じて前記殺菌運転の運転時間を補正することを特徴とする請求項１記載の給湯装置。
【請求項３】
浴槽内の湯を追い焚き回路に循環させつつ追い焚き用熱交換器により所定の設定温度に加熱する追い焚き運転を行うとき、殺菌運転を行うことを特徴とする請求項１又は２記載の給湯装置。
【請求項４】
請求項３記載の給湯装置であって、
追い焚き運転を開始する前に、浴槽内の湯温と追い焚き設定温度との偏差と浴槽内の湯量とに基づいて追い焚き運転の運転時間を算出し、
前記殺菌運転の運転時間が算出した追い焚き運転の運転時間より長いとき、殺菌運転を追い焚き運転より少なくとも両運転の運転時間差に相当する時間分先に開始することを特徴とする給湯装置。
【請求項５】
浴槽への湯張り完了から所定時間経過したときと前回の殺菌運転完了から所定時間経過したときとの少なくとも一方のとき、殺菌運転を行うことを特徴とする請求項１又は２記載の給湯装置。
【請求項６】
請求項５記載の給湯装置であって、
入浴しないときは、前記所定時間を入浴するときに比べ長く設定することを特徴とする給湯装置。
【請求項７】
入浴終了から第２の所定時間経過する度に、殺菌運転を行うことを特徴とする請求項１又は２記載の給湯装置。
【発明の詳細な説明】
【技術分野】
【０００１】
本発明は、浴槽内の湯を追い焚き用熱交換器との間に循環させる追い焚き回路と、追い焚き回路に介設される殺菌装置とを備え、追い焚き回路に湯を循環させつつ殺菌装置で湯を殺菌する殺菌運転を行う給湯装置に関する。
【背景技術】
【０００２】
従来、この種の給湯装置として、特許文献１記載のものが知られている。このものでは、浴槽内の湯を追い焚き回路に循環させつつ追い焚き用熱交換器により所定の設定温度に加熱する追い焚き運転を行うときに、殺菌運転を行っている。
【０００３】
ここで、追い焚き運転の運転時間は、浴槽内の湯量のみならず、浴槽内の湯温と追い焚き設定温度との偏差によっても変化する。そのため、上記従来例のものでは、追い焚き運転が長時間行われる場合は、浴槽内の湯に存在する菌がなくなっていても殺菌運転を行い続け、必要以上に殺菌することになってしまう。また、追い焚き運転が短時間行われる場合は、殺菌運転が終了しても菌が残ってしまう。
【先行技術文献】
【特許文献】
【０００４】
【特許文献１】特開２００６−２８４０３０号公報
【発明の概要】
【発明が解決しようとする課題】
【０００５】
本発明は、以上の点に鑑み、浴槽の湯を必要十分に殺菌することができるようにした給湯装置を提供することをその課題としている。
【課題を解決するための手段】
【０００６】
上記課題を解決するために、浴槽内の湯を追い焚き用熱交換器との間に循環させる追い焚き回路と、追い焚き回路に介設される殺菌装置とを備え、追い焚き回路に湯を循環させつつ殺菌装置で湯を殺菌する殺菌運転を行う給湯装置であって、殺菌運転の運転時間を浴槽内の湯量に応じて決定することを特徴とする。
【０００７】
ここで、浴槽内の湯に存在する菌の数は、浴槽内の湯量に比例する。本発明によれば、殺菌運転の運転時間を浴槽内の湯量に応じて決定するため、菌の数に比例する適切な時間で殺菌運転を行うことができる。従って、浴槽の湯を必要十分に殺菌することができる。
【０００８】
また、本発明においては、浴槽への湯張り完了からの経過時間と前回の殺菌運転完了からの経過時間との少なくとも一方に応じて殺菌運転の運転時間を補正することが望ましい。これによれば、時間経過により増える菌の数に応じた時間だけ長く殺菌運転を行い、より確実に浴槽内の湯を殺菌することができる。
【０００９】
また、本発明においては、浴槽内の湯を追い焚き回路に循環させつつ追い焚き用熱交換器により所定の設定温度に加熱する追い焚き運転を行うとき、殺菌運転を行うこともできる。これによれば、追い焚き運転を行うと、使用者が操作をしなくても殺菌運転を行い、追い焚き運転完了後に殺菌された状態の浴槽に入浴することができる。
【００１０】
この場合、追い焚き運転を開始する前に、浴槽内の湯温と追い焚き設定温度との偏差と浴槽内の湯量とに基づいて追い焚き運転の運転時間を算出し、殺菌運転の運転時間が算出した追い焚き運転の運転時間より長いとき、殺菌運転を追い焚き運転より少なくとも両運転の運転時間差に相当する時間分先に開始することが望ましい。これによれば、殺菌運転を追い焚き運転完了後に行うことはなく、浴槽内の湯温が設定温度より低くなってしまうことを防止できる。
【００１１】
また、本発明においては、浴槽への湯張り完了から所定時間経過したときと前回の殺菌運転完了から所定時間経過したときとの少なくとも一方のとき、殺菌運転を行うこともできる。これによれば、使用者が操作をしなくても殺菌運転を行い、菌が増殖し続けることを防止できる。
【００１２】
この場合、入浴しないときは、所定時間を入浴するときに比べ長く設定することが望ましい。これによれば、入浴せず菌が急増し難いときは、必要以上に殺菌することを防止できる。
【００１３】
また、本発明においては、入浴終了から第２の所定時間経過する度に、殺菌運転を行うようにしてもよい。これによれば、入浴で菌が増殖した浴槽内の湯を殺菌することができる。
【図面の簡単な説明】
【００１４】
【図１】本発明の実施形態の給湯装置の構成図。
【図２】実施形態の給湯装置で行う制御内容を示すフロー図。
【発明を実施するための形態】
【００１５】
図１を参照して、本発明の実施形態の給湯装置は、缶体１を備えている。缶体１内の下部には、給湯用バーナ２１と追い焚き用バーナ２２とが収納され、缶体１内の上部には、給湯用バーナ２１で加熱される給湯用熱交換器３１と追い焚き用バーナ２２で加熱される追い焚き用熱交換器３２とが収納されている。尚、給湯用のバーナ２１及び熱交換器３１が配置された空間と追い焚き用のバーナ２２及び熱交換器３２が配置された空間とは、仕切り壁１１により区画されている。また、缶体１の下面には、バーナ２１，２２に燃焼用空気を供給する燃焼ファン４が接続されており、缶体１の上端には排気口１２が開設されている。
【００１６】
バーナ２１，２２に燃料ガスを供給するガス供給路５には、電磁弁５ａと比例弁５ｂとが介設されている。更に、給湯用バーナ２１を構成する複数の単位バーナを３組に分け、比例弁５ｂの下流で分岐された各組の単位バーナへの分岐ガス供給路５１に、能力切換のための電磁弁５１ａを夫々介設し、比例弁５ｂの下流で分岐された追い焚き用バーナ２２への分岐ガス供給路５２にも、電磁弁５２ａを介設している。
【００１７】
給湯用熱交換器３１は、バーナ２１からの燃焼ガスの顕熱を回収する主熱交換器３１ａと、主熱交換器３１ａを通過した燃焼ガスの潜熱を回収する副熱交換器３１ｂとで構成されており、同様に、追い焚き用熱交換器３２も、主熱交換器３２ａと副熱交換器３２ｂとで構成されている。給湯器用熱交換器３１には、上流側の給水路６１と下流側の出湯路６２とが接続されており、追い焚き用熱交換器３２には、浴槽７に連なる追い焚き回路６３が接続されている。尚、出湯路６２の下流端は、図外の給湯端末に接続されている。
【００１８】
給水路６１には、給水用水量センサ６１ａと水量サーボ６１ｂとが設けられている。更に、水量サーボ６１ｂの下流側の給水路６１の部分から分岐して給湯用熱交換器３１を通らずに出湯路６２に合流するバイパス通路６４を設け、当該分岐箇所にバイパスサーボ６４ａが設けられている。出湯路６２には、出湯サーミスタ６２ａが設けられている。
【００１９】
追い焚き回路６３は、追い焚き用熱交換器３２を通過した湯を浴槽７に送る往路６３１と、浴槽７内の湯を追い焚き用熱交換器３２に戻す復路６３２とで構成されている。往路６３１には、往路サーミスタ６３ａが設けられており、復路６３２には、復路サーミスタ６３ｂと循環ポンプ６３ｃと水位センサ６３ｄと水流スイッチ６３ｅとが設けられている。そして、循環ポンプ６３ｃの作動により浴槽７内の湯を追い焚き用熱交換器３２との間で追い焚き回路６３を介して循環させるようにしている。更に、追い焚き用バーナ２２を燃焼させて、追い焚き回路６３を循環する湯を追い焚き用熱交換器３２で加熱して、追い焚きを行うようにしている。
【００２０】
復路６３２には、更に、後述する湯張り用出湯路６５の接続箇所と浴槽７との間に位置させて、ＵＶランプを有する殺菌装置６３ｆが介設され、ＵＶランプの点灯により追い焚き回路６３を循環する湯に紫外線を照射して、殺菌を行うようにしている。尚、殺菌装置６３ｆは、光触媒と光触媒に光を照射するＬＥＤランプを有するものやオゾン発生器を有するものであってもよい。
【００２１】
また、バイパス通路６４の合流箇所よりも下流側の出湯路６２の部分から分岐して循環ポンプ６３ｃと浴槽７との間の復路６３２の部分に接続される湯張り用出湯路６５が設けられている。湯張り用出湯路６５には、湯張り用電磁弁６５ａと湯張り用出湯路６５に流れる湯の流量を検出する湯張り用水量センサ６５ｂとが設けられている。そして、循環ポンプ６３ｃを作動させずに湯張り用電磁弁６５ａを開弁することにより、給湯用熱交換器３１で加熱された湯を湯張り用出湯路６５と復路６３２及び往路６３１とを介して浴槽７に供給して、湯張りを行うようにしている。
【００２２】
燃焼ファン４、電磁弁５ａ、比例弁５ｂ、電磁弁５１ａ，５１ａ，５１ａ，５２ａ、水量サーボ６１ｂ、循環ポンプ６３ｃ、殺菌装置６３ｆのＵＶランプ、バイパスサーボ６４ａ及び湯張り用電磁弁６５ａは、給湯装置のコントローラ８により制御される。このコントローラ８には、給水用水量センサ６１ａ、出湯サーミスタ６２ａ、往路サーミスタ６３ａ、復路サーミスタ６３ｂ、水位センサ６３ｄ、水流スイッチ６３ｅ及び湯張り用水量センサ６５ｂの検出信号が入力される。そして、コントローラ８により、循環ポンプ６３ｃを作動させ追い焚き回路６３に浴槽７内の湯を循環させつつ殺菌装置６３ｆで湯を殺菌する殺菌運転を行い、また、循環ポンプ６３ｃを作動させ浴槽７内の湯を追い焚き回路６３に循環させつつ追い焚き用熱交換器３２により所定の設定温度に加熱する追い焚き運転を行うようにしている。また、コントローラ８には、殺菌運転を指示するための操作が可能な殺菌運転スイッチと追い焚き運転を指示するための操作が可能な追い焚き運転スイッチとが設けられた図外のリモコンが通信可能に接続されている。尚、殺菌運転や追い焚き運転を行うとき、それをリモコンの画面に表示することも可能である。
【００２３】
ここで、本実施形態では、殺菌運転の運転時間を浴槽７内の湯量に応じて決定する。更に、浴槽７への湯張り完了からの経過時間や前回の殺菌運転完了からの経過時間に応じて殺菌運転の運転時間を補正する。また、追い焚き運転の運転時間は、浴槽７内の湯温と追い焚き設定温度との偏差と浴槽７内の湯量とに基づいて決定する。以下、図２を参照して、本実施形態の殺菌運転及び追い焚き運転について詳述する。
【００２４】
先ず、ＳＴＥＰ１で、浴槽７への湯張りが完了したか否かを判別し、湯張りが完了していると、ＳＴＥＰ２で、コントローラ８が具備するタイマーの計時動作をスタート（タイマースタート）する。このとき、水位センサ６３ｄの検出値や湯張り用水量センサ６５ｂで検出された積算水量を浴槽７内の湯量として取得する。
【００２５】
次に、ＳＴＥＰ３で、追い焚き運転スイッチがＯＮされたか否かを判別し、ＯＮされた場合は、ＳＴＥＰ４で、循環ポンプ６３ｃを短時間（例えば、３０秒）作動させた後の復路サーミスタ６３ｂの検出値を浴槽７内の湯温として、それと追い焚き設定温度との偏差とＳＴＥＰ２で取得した浴槽７内の湯量とに基づいて追い焚き運転の運転時間を算出し、ＳＴＥＰ５で、ＳＴＥＰ２で取得した浴槽７内の湯量に応じて殺菌運転の運転時間を算出する。具体的には、浴槽７内の湯量を単位時間当りに殺菌処理可能な湯量で除して殺菌運転の基本運転時間を算出し、この基本運転時間にタイマー時間（タイマースタートからの経過時間）ｔが長くなる程長くなる補正時間を加算して、殺菌運転の運転時間を求める。
【００２６】
続いて、ＳＴＥＰ６で、追い焚き運転の運転時間が所定の基準時間（例えば、１０分）より短いか否かを判別し、基準時間より短い場合は、殺菌運転を行わずに追い焚き運転を行う。即ち、ＳＴＥＰ７で、循環ポンプ６３ｃを作動させつつ、電磁弁５ａと電磁弁５２ａを開弁して追い焚き用バーナ２２を燃焼させ、ＳＴＥＰ８で、追い焚き運転の運転時間が経過したか否かを判別する。そして、追い焚き運転の運転時間が経過すると、ＳＴＥＰ９で、循環ポンプ６３ｃの作動を停止すると共に、電磁弁５ａと電磁弁５２ａを閉弁して追い焚き用バーナ２２の燃焼を停止して、ＳＴＥＰ３に戻る。
【００２７】
一方、追い焚き運転の運転時間が基準時間以上である場合は、ＳＴＥＰ６からＳＴＥＰ１０に進み、殺菌運転の運転時間が追い焚き運転の運転時間よりも長いか否かを判別する。そして、殺菌運転の運転時間が追い焚き運転の運転時間以下である場合は、ＳＴＥＰ１１に進み、循環ポンプ６３ｃを作動させつつ、殺菌装置６３ｆのＵＶランプを点灯させ、これと共に電磁弁５ａと電磁弁５２ａを開弁して追い焚き用バーナ２２を燃焼させて、追い焚き運転と殺菌運転とを同時に行う。次に、ＳＴＥＰ１２で、殺菌運転の運転時間が経過したか否かを判別し、殺菌運転の運転時間が経過すると、ＳＴＥＰ１３で、殺菌装置６３ｆのＵＶランプを消灯して、殺菌運転を終了する。その後、ＳＴＥＰ１４で、追い焚き運転の運転時間が経過したか否かを判別し、追い焚き運転の運転時間が経過すると、ＳＴＥＰ１５で、循環ポンプ６３ｃの作動を停止すると共に、電磁弁５ａと電磁弁５２ａを閉弁して追い焚き用バーナ２２の燃焼を停止して、追い焚き運転を終了する。更に、ＳＴＥＰ１６で、６リットルの湯を浴槽７へ湯張りすることで殺菌装置６３ｆのＵＶランプを洗浄し、ＳＴＥＰ１７で、タイマー時間ｔをリセットして、ＳＴＥＰ２に戻り、タイマースタートする。
【００２８】
一方、殺菌運転の運転時間が追い焚き運転の運転時間よりも長い場合は、ＳＴＥＰ１０からＳＴＥＰ１８に進み、循環ポンプ６３ｃを作動させつつ、殺菌装置６３ｆのＵＶランプを点灯させて、殺菌運転を開始する。次に、ＳＴＥＰ１９で、殺菌運転と追い焚き運転の運転時間差に相当する時間が経過したか否かを判別し、経過したときに、ＳＴＥＰ２０で、電磁弁５ａと電磁弁５２ａを開弁して追い焚き用バーナ２２を燃焼させて、追い焚き運転を開始する。そして、ＳＴＥＰ２１で、追い焚き運転の運転時間が経過したか否かを判別し、経過したときに、ＳＴＥＰ２２で、循環ポンプ６３ｃの作動を停止すると共に、電磁弁５ａと電磁弁５２ａを閉弁して追い焚き用バーナ２２の燃焼を停止して、追い焚き運転を終了する。更に、ＳＴＥＰ２３で、浴槽７への６リットルの湯を湯張りすることで殺菌装置６３ｆのＵＶランプを洗浄し、ＳＴＥＰ２４で、ＵＶランプを消灯して、殺菌運転を終了し、ＳＴＥＰ１７に進む。
【００２９】
このように、追い焚き運転を行うと、殺菌運転スイッチがＯＮされなくても殺菌運転を行い、追い焚き運転完了後に殺菌された状態の浴槽に入浴することができる。更に、殺菌運転の運転時間が追い焚き運転の運転時間より長いとき、ＳＴＥＰ１８の如く殺菌運転を追い焚き運転より両運転の運転時間差に相当する時間分先に開始するため、殺菌運転を追い焚き運転完了後に行うことはなく、浴槽７内の湯温が設定温度より低くなってしまうことを防止できる。
【００３０】
追い焚き運転スイッチがＯＮされない場合は、ＳＴＥＰ３からＳＴＥＰ２５に進み、入浴したか否かを判別する。具体的には、水位センサ６３ｄの検出値に変動があり、その状態が所定の基準時間（例えば、５分）継続したときに入浴したと判断する。入浴した場合は、ＳＴＥＰ２６で、タイマースタートから比較的短く設定する所定時間（例えば、３時間）経過しているか否かを判別する。一方、入浴しなかった場合は、ＳＴＥＰ２７で、タイマースタートから比較的長く設定する所定時間（例えば、１０時間）経過しているか否かを判別する。そして、タイマースタートから所定時間経過するまでは、ＳＴＥＰ２６又は２７からＳＴＥＰ２８に進み、殺菌運転スイッチがＯＮされた否かを判別し、ＯＮされないと、ＳＴＥＰ３に戻る。
【００３１】
タイマースタートから所定時間経過したとき又は殺菌運転スイッチがＯＮされたとき、ＳＴＥＰ２９で、ＳＴＥＰ５と同様に、殺菌運転の運転時間を算出し、殺菌運転を行う。即ち、ＳＴＥＰ３０で、循環ポンプ６３ｃを作動させつつ、殺菌装置６３ｆのＵＶランプを点灯させ、ＳＴＥＰ３１で、殺菌運転の運転時間が経過したか否かを判別する。殺菌運転の運転時間が経過すると、ＳＴＥＰ３２で、循環ポンプ６３ｃの作動を停止し、ＳＴＥＰ３３で、浴槽７への６リットルの湯を湯張りすることで殺菌装置６３ｆのＵＶランプを洗浄し、ＳＴＥＰ３４で、ＵＶランプを消灯し、ＳＴＥＰ３５で、タイマー時間ｔをリセットして、ＳＴＥＰ２に戻り、タイマースタートする。
【００３２】
ここで、タイマースタートするのは、湯張り完了時や殺菌運転完了時である。従って、本実施形態では、殺菌運転スイッチがＯＮされなくても、湯張り完了から所定時間経過したときや前回の殺菌運転完了から所定時間経過したとき、殺菌運転が行われることになり、菌が増殖し続けることを防止できる。更に、入浴しないときは、ＳＴＥＰ２７の如く所定時間を入浴するときに比べ長く設定するため、入浴せず菌が急増し難いときは、必要以上に殺菌することを防止できる。
【００３３】
また、浴槽７内の湯に存在する菌の数は、浴槽７内の湯量に比例する。本実施形態によれば、殺菌運転の運転時間を浴槽７内の湯量に応じて決定するため、菌の数に比例する適切な時間で殺菌運転を行うことができる。従って、浴槽７の湯を必要十分に殺菌することができる。そして、殺菌装置６３ｆのＵＶランプを不必要に点灯させ続けず、エネルギーが浪費されてしまうことを抑制できる。更に、本実施形態では、浴槽７への湯張り完了からの経過時間や前回の殺菌運転完了からの経過時間に応じて殺菌運転の運転時間を補正するため、時間経過により増える菌の数に応じた時間だけ長く殺菌運転を行い、より確実に浴槽７内の湯を殺菌することができる。
【００３４】
以上、本発明の実施形態について図面を参照して説明したが、本発明はこれに限られない。例えば、上記実施形態では、湯張り完了から所定時間経過したとき及び前回の殺菌運転完了から所定時間経過したとき、殺菌運転を行うが、入浴終了から第２の所定時間（例えば、１０分）経過する度に、殺菌運転を行ってもよい。これによれば、入浴で菌が増殖した浴槽７内の湯を殺菌することができる。
【００３５】
また、上記実施形態では、水位センサ６３ｄを用いて入浴したか否かを判別しているが、浴室に赤外線センサを設けて、この赤外線センサにより入浴したか否かを判別してもよい。
【００３６】
更に、上記実施形態では、追い焚き用バーナ２２をガスバーナとしているが、石油バーナであってもよい。また、上記実施形態では、追い焚き用熱交換器３２を追い焚き用バーナ２２で加熱して、追い焚き回路６３を循環する湯を加熱するようにしているが、追い焚き用熱交換器３２を液々熱交換器として、液々熱交換器の二次側に追い焚き回路６３を接続すると共に、液々熱交換器の一次側に加熱された熱媒体を循環させる循環回路を接続して、追い焚き回路６３を循環する湯を循環回路の湯との間の熱交換で加熱するようにしてもよい。
【符号の説明】
【００３７】
３２…追い焚き用熱交換器、６３…追い焚き回路、６３ｆ…殺菌装置、７…浴槽。
【図１】
2016223699.tif 000003
【図２】
2016223699.tif 000004